(57)【要約】【課題】従来、ポストテンション方式ＰＣ構造物の内ケーブルへのグラウト注入工法において、実際はコンクリート内部に内ケーブルが配設されたシースが隠れているので、空気溜まりが無くグラウトが充填されているか否かの確認が困難であった。【解決手段】施工現場外で組み立てられた、施工現場の内ケーブルと同じ３次元配置構造のシースを透明材で構成したケーブルからなる全長試験体、又はそのうちの空気溜まりの生じやすい長さ部分のケーブルよりなる部分試験体に、グラウトを注入して試験を行い、かつ前記試験を複数の試験条件で実施することにより、試験結果から最良のグラウト注入条件を選出し、施工現場に適用してグラウト注入施工することにより、シース内に空気溜まりが無く、ケーブルに用いたＰＣ鋼材の腐食・断線の危険が生じないポストテンション方式ＰＣ構造物が提供できる。【選択図】    図１
2004211528.tif 000002
【特許請求の範囲】
【請求項１】
施工現場におけるポストテンション方式ＰＣ構造物の内ケーブルへのグラウト注入に先立って、施工現場外で組み立てられた打設コンクリート部を有しない他は、施工現場と同じ３次元配置構造のシースを透明材で構成した内ケーブルに、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
【請求項２】
施工現場におけるポストテンション方式ＰＣ構造物の内ケーブルへのグラウト注入に先立って、施工現場外で組み立てられた打設コンクリート部を有しない他は、施工現場と同じ３次元配置構造のシースを透明材で構成した、空気溜まりの生じやすい長さ部分からなるケーブルの部分試験体に、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
【請求項３】
シースを透明材で構成した内ケーブルの３次元配置を支保工材を用いて行うことを特徴とする請求項１又は２に記載のポストテンション方式ＰＣ構造物の内ケーブルへのグラウト注入工法。
【請求項４】
試験用の３次元配置構造のケーブルが、曲がり部付近又は／及び高位置部付近のみに透明なシースを配設してなることを特徴とする請求項１〜３のいずれか１項に記載のポストテンション方式ＰＣ構造物の内ケーブルへのグラウト注入工法。
【請求項５】
施工現場外でのグラウト注入試験において、シースを透明材で構成することにより、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、同パイプの取付本数及び口径の選定を、目視で確実・容易になし得るようにするものであることを特徴とする請求項１〜４のいずれか１項に記載のポストテンション方式ＰＣ構造物の内ケーブルへのグラウト注入工法。
【請求項６】
グラウトの注入試験の試験条件が、（１）グラウトの成分配合組成、グラウトの水セメント比等のグラウトの組成、（２）グラウトの粘性・温度特性・ブリージング特性等のグラウトの物性、（３）グラウトの注入圧、グラウトの注入速度、グラウトの注入量等のグラウトの注入操作手段、（４）シース内の空気溜まりの生成箇所への注入パイプによるグラウトの再注入の圧力、速度、注入量、グラウトの再注入パイプの取付位置・本数・管内径等のグラウトの再注入操作手段、（５）グラウトの排出パイプ・空気の排気パイプの取付位置・本数・管内径等のグラウトの排出・空気排気操作手段、及び（６）グラウト注入に先立ってシース内部にあらかじめ水を注入してグラウトが注入されると共に水をシースから排出させて、グラウトと水とのより小さな比重差を利用してシース内のグラウトの流れをより一様なものにする工程又はコンクリート及びシース内部の温度が高い場合それを下げる工程の施工手順工程、の（１）〜（６）から選択される１又は２以上であることを特徴とする請求項１〜５のいずれか１項に記載のポストテンション方式ＰＣ構造物の内ケーブルへのグラウト注入工法。
【請求項７】
透明シースが、ポリエチレン樹脂製のものであることを特徴とする請求項１〜６のいずれか１項に記載のポストテンション方式ＰＣ構造物の内ケーブルへのグラウト注入工法。
【請求項８】
透明シースが、アイオノマ樹脂製のものであることを特徴とする請求項１〜７のいずれか１項に記載のポストテンション方式ＰＣ構造物の内ケーブルへのグラウト注入工法。
【発明の詳細な説明】
【０００１】
【発明の属する技術分野】本発明は、ポストテンション方式ＰＣ構造物の内ケーブルへのグラウト注入工法に関し、特に内ケーブル内に空気溜まりが残存せず、完全にグラウトが充填された内ケーブルを確実・容易に提供できるグラウト注入工法に関する。
【０００２】
【従来の技術及び発明が解決しようとする課題】近年、橋梁、高架橋等のＰＣ構造物において、その内ケーブル内へのグラウト充填不良に起因する緊張材の腐食・破断事故が散見されるようになった。
【０００３】
内ケーブルは全体がコンクリート内部に埋め込まれているため、シース内のグラウト充填（注入）状況や、グラウト注入作業後のケーブルの状況を点検及び確認することは困難であった。
現状では、Ｘ線検査・超音波検査・衝撃反射波検査等の非破壊検査方法によりグラウト充填状況の確認作業が行われているが、完全に内部の状況を把握することは困難である。
【０００４】
そこで、流動性が良好でブリージングの少ないグラウト材料が開発されたが、実際のグラウト注入作業時においては、グラウト材料はシース内へポンプ圧送されるので、グラウト材料を調製する際の材料混練時とポンプ圧送中に空気が巻き込まれ、その空気が内ケーブルの曲がり部の高所付近又は内ケーブルの端部付近のシース内に空気溜まり（空隙部）となって形成される問題があった。
シース内壁とＰＣ鋼材の間に注入・充填されるグラウト材料は、セメントと水と混和剤の混合物からなり、流動性がよく材料分離が無いという性質のものが求められるが、シース内において、セメントと水は比重の差により硬化するまでの間にセメント分が下側に沈降分離して、上側に水分が残り（ブリージング水）、その水が蒸発して空隙部（空気溜まり）が形成されて残ることがある。この空隙部に長年月の間に外部水が侵入するとＰＣ鋼材を腐食させ、その結果ＰＣ鋼材が断線する危険が生じる。
また、ケーブル材にＰＣ鋼より線を用いる例がほとんどであるため、同より線を構成する複数の素線間にふるい作用や毛細管作用が生じて、水とセメントの分離作用を引き起こすことがある。
【０００５】
図４の内ケーブルへのグラウト注入説明図及び図５の内ケーブルへのグラウト注入時における空気溜まり生成説明図に示すごとく、シース３’内において、グラウト材料Ｇが下から上へ流入進行する箇所における場合（Ａ）には、空隙（空気溜まり）Ｖが生じることはないが、特にケーブルが曲げ下がってグラウト材料Ｇが上から下へ降りて流下進行する箇所における場合（Ｂ）には、シース３’の内径上側に空隙Ｖを残してグラウト材料Ｇは管内下側を先流れして行き（図５（イ））、ケーブルが曲げ下がった所で管径の全面にグラウトが充填して（図５（ロ））から、今度は曲げ上がり方向へ逆に上って行く（図５（ハ））。
先流れ中の空隙Ｖは、グラウト材料Ｇが逆行する間、通常曲げ上がり頂上付近手前に設けた排出パイプ８ａ，８ｂ（図４）から空気が排出されて次第に小さくなる。この空気溜まりＶは排出パイプ８ａ，８ｂの取付位置、数、内径とそのパイプ高さ等に影響されて、消失するか残留するかが決まる。
【０００６】
【問題を解決するための手段】本発明は、ポストテンション方式ＰＣ構造物の内ケーブルへのグラウト注入工法において、シース内に空気溜まりが残存することなくグラウトが完全に充填された内ケーブルを提供する工法であり、下記のグラウト注入工法である。
（１）施工現場におけるポストテンション方式ＰＣ構造物の内ケーブルへのグラウト注入に先立って、施工現場外で組み立てられた打設コンクリート部を有しない他は、施工現場と同じ（ほぼ同じと見なされる場合も含まれる）３次元配置構造（すなわち立体的配置構造）のシースを透明材で構成した内ケーブルに、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
（２）施工現場におけるポストテンション方式ＰＣ構造物の内ケーブルへのグラウト注入に先立って、施工現場外で組み立てられた打設コンクリート部を有しない他は、施工現場と同じ（ほぼ同じと見なされる場合も含まれる）３次元配置構造（すなわち立体的配置構造）のシースを透明材で構成した、空気溜まりの生じやすい長さ部分からなるケーブルの部分試験体に、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件の全部又はその主要な一部を現場に適用して施工することを特徴とするポストテンション方式ＰＣ構造物の内ケーブルへのグラウト注入工法。
（３）シースを透明材で構成した内ケーブルの３次元配置（すなわち立体的配置）を支保工材を用いて行うことを特徴とする前項（１）又は（２）に記載のポストテンション方式ＰＣ構造物の内ケーブルへのグラウト注入工法。
（４）試験用の３次元配置（すなわち立体的配置）の内ケーブルが、曲がり部付近又は／及び高位置部付近のみに透明なシースを配設してなることを特徴とする前項（１）〜（３）のいずれか１項に記載のポストテンション方式ＰＣ構造物の内ケーブルへのグラウト注入工法。
【０００７】
（５）施工現場外でのグラウト注入試験において、シースを透明材で構成することにより、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、取付本数及び口径の選定を、目視で確実・容易になし得るようにするものであることを特徴とする前項（１）〜（４）のいずれか１項に記載のポストテンション方式ＰＣ構造物の内ケーブルへのグラウト注入工法。
（６）グラウトの注入試験の試験条件が、（１）グラウトの成分配合組成、グラウトの水セメント比等のグラウトの組成、（２）グラウトの粘性・温度特性・ブリージング特性等のグラウトの物性、（３）グラウトの注入圧、グラウトの注入速度、グラウトの注入量等のグラウトの注入操作手段、（４）シース内の空気溜まりの生成箇所への注入パイプによるグラウトの再注入の圧力、速度、注入量、グラウトの再注入パイプの取付位置・本数・管内径等のグラウトの再注入操作手段、（５）グラウトの排出パイプ・空気の排気パイプの取付位置・本数・管内径等のグラウトの排出・空気排気操作手段、及び（６）グラウト注入に先立ってシース内部にあらかじめ水を注入してグラウトが注入されると共に水をシースから排出させて、グラウトと水とのより小さな比重差を利用してシース内のグラウトの流れをより一様なものにする工程又はコンクリート及びシース内部の温度が高い場合それを下げる工程の施工手順工程、の（１）〜（６）から選択されることを特徴とする前項（１）〜（５）のいずれか１項に記載のポストテンション方式ＰＣ構造物の内ケーブルへのグラウト注入工法。
（７）透明シースが、ポリエチレン樹脂製のものであることを特徴とする前項（１）〜（６）のいずれか１項に記載のポストテンション方式ＰＣ構造物の内ケーブルへのグラウト注入工法。
（８）透明シースが、アイオノマ樹脂製のものであることを特徴とする前項（１）〜（７）のいずれか１項に記載のポストテンション方式ＰＣ構造物の内ケーブルへのグラウト注入工法。
【０００８】
【発明の実施の形態】次に本発明の実施の形態を図面に基づいて説明する。
本発明においては、まず施工現場におけるポストテンション方式ＰＣ構造物の内ケーブルへのグラウト注入に先立って、施工現場近くの場所又は工場等施工現場外において、図１に示すごとく先行試験用ケーブルへのグラウト注入試験装置１を支保工材（足場組み立て用のパイプ材）５で施工現場と同じ（ほぼ同じと見なされる場合も含まれる）３次元配置（すなわち立体的配置）で、外部から内部のグラウト充填状況が視認できる透明シース３を有する内ケーブル２を組み立てる。
該試験装置１は現場での打設コンクリート部を有しない他は、施工現場と同じ３次元配置構造で、その全長にわたって配置した内ケーブル２の透明シース３内に、グラウト（Ｇ）をグラウト注入パイプ６から注入して試験を行うものである。
そして該試験は複数の試験条件で実施し、その際透明シース３を介して内部のグラウト（Ｇ）の注入状況を目視によって観察し、記録する。
【０００９】
図２の先行試験用ケーブルへのグラウト注入説明図に示すグラウト注入試験において、ケーブル２内にグラウトＧを注入した際に、高位置に空気溜まりＶが生成している状態を示しており、その付近にグラウトの再注入パイプ７及び排出パイプ（排気パイプ）８ａ、８ｂが立設され、また左端の定着部にはグラウトの注入パイプ６と排気パイプ９が付設され、他方の右端の定着部には排出パイプ８ｃが付設されている。なお、前記各パイプの上部には、開閉弁７ｖ、８ａｖ、８ｂｖが取り付けられている。
そこで、まず注入パイプ６から、グラウトＧを圧送ポンプ（図示せず）を用いて、例えば特定圧力と吐出速度と吐出時間で内ケーブル２の透明シース３中に注入し、空気溜まりＶが排出パイプ８ａ、８ｃから全部排出されて残存しなくなる圧力、吐出速度、吐出時間の各数値を記録する。
また、グラウトＧの種類、温度等を変えて複数の注入試験を行い、最適なグラウトの選定、最適な温度等を記録する。
そこで得られたグラウト注入試験結果から最良のグラウト注入条件を選出し、その選出された最良のグラウト注入条件の全部又は主要な一部を現場に適用して、実際のグラウト注入施工を行うのである。
【００１０】
一般に、内ケーブルへのグラウト注入時における空気溜まりＶの生成要因としては、（１）グラウト材料の種類、（２）グラウト充填に使用される機器、（３）ケーブルの形状、（４）注入パイプ、排出パイプの取付箇所と取付本数、及びその開閉のタイミング、（５）グラウトの再注入の有無、（６）定着具の形状と注入パイプ及び排出パイプの取付箇所、（７）施工現場の温度条件、（８）グラウト注入に先立つシース内への水注入を行うか否かなどが挙げられる。
例えば、（１）グラウト材料の種類における空気溜まりの詳細な生成要因は、グラウト材料の流動性、粘性、材料不分離性によるものであり、またグラウト材料の水セメント比や、セメントの粒度、混和剤の性質、また気温や構成材料の温度から定まるグラウトの練り上がり温度などによって影響を受ける。
次に、（２）グラウト充填に使用される機器（図示せず）による空気溜まりが生成することもありその要因としては、ミキサーの羽構造や回転数、ポンプの圧送圧力や吐出量などによって影響を受ける。
また、（３）ケーブル２の形状における空気溜まりの生成要因としては、シースの管径、内径、長さ、及びシース外周面の凹凸やケーブル全長間での３次元的曲がり形状などにより影響を受ける。
【００１１】
そして、（４）グラウトの注入パイプ、排出パイプの取付箇所と取付本数としては、二次注入するための再注入パイプ７の取付箇所や取付本数、排出パイプの取付箇所と取付本数に影響を受ける他、注入パイプや排出パイプの内径やその長さ（高さ）、グラウト注入時及びグラウト注入完了直後における排出パイプの開閉のタイミングなどに影響を受ける。
また、（５）グラウトの再注入の有無や、（６）定着具の形状と注入パイプ及び排出パイプの取付箇所の関係、（７）施工現場の温度条件、すなわち気温とコンクリート部材温度がグラウトの流動性に大きく影響し、空気溜まりの生成要因となるとされている。
【００１２】
そこで、上記内ケーブル２へのグラウト注入時における空気溜まりＶの生成要因を考慮して、図１に示す支保工材（足場用のパイプ材）５で組み立てられた施工現場と同じ（ほぼ同じと見なされる場合も含まれる）３次元配置（すなわち立体的配置）の内ケーブルへのグラウト注入試験装置１を施工現場外で組立てる。
そのようにして、打設コンクリート部を有しないことと、シースが黒色でなく、透明なシースである他は、施工現場と同じ３次元配置の全長又はその一部若しくはそのうちの空気溜まりの生じやすい長さ部分のケーブル２を組み立てる。次いで、透明材で構成されたシース３内にグラウトＧの注入試験を行う。
そして、前記各グラウト注入時における空気溜まりの生成要因を考慮し、複数の試験条件を実施し、その際透明シース３を介して内部のグラウトの注入状況を目視によって観察し、データを記録する。
こうした施工現場外でのグラウト注入試験においてシースを透明材で構成することにより、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、取付本数及び口径の選定を、目視で確実・容易になし得ることにより、最良のグラウト注入条件を選出することができる。
なお、透明シース３内に空気溜まりＶが生成された場合には、前記空気溜まりの生成要因に基づいて分析・改善をする。そして、再度試験を行いデータを記録する。
そして、前記試験で得られたデータ結果から最良のグラウト注入条件を選出し、その選出された最良のグラウト注入条件を現場施工時に適用して、実際のグラウト注入施工を行う。
【００１３】
グラウトの注入試験の試験項目（条件）としては、▲１▼．グラウトの成分配合組成、グラウトの水セメント比等のグラウトの組成、▲２▼．グラウトの粘性・温度特性・ブリージング特性等のグラウトの物性、▲３▼．グラウトの注入圧、グラウトの注入速度、グラウトの注入量等のグラウトの注入操作手段、▲４▼．シース内の空気溜まりの生成箇所への注入パイプによるグラウトの再注入の圧力、速度、注入量、グラウトの再注入パイプの取付位置・本数・管内径等のグラウトの再注入操作手段、▲５▼．グラウトの排出パイプ・空気の排気パイプの取付位置・本数・管内径等のグラウトの排出・空気排気操作手段、及び▲６▼．グラウト注入に先立ってシース内部にあらかじめ水を注入してグラウトが注入されると共に水をシースから排出させて、グラウトと水とのより小さな比重差を利用してシース内のグラウトの流れをより一様なものにする又はコンクリート及びシース内部の温度が高い場合それを下げる施工手順、が挙げられ、上記▲１▼〜▲６▼から選択される１又は２以上、好ましくは▲１▼〜▲６▼までのすべてを試験項目とする。
【００１４】
図３はグラウト注入試験の他の実施例、すなわち内ケーブルの部分試験体を用いる例の説明図を示し、図３（ａ）は施工現場と同じ（ほぼ同じと見なされる場合も含まれる）３次元配置構造（すなわち立体的配置構造）の先行試験用ケーブルの全長模式図と、一点鎖線で囲まれた空気溜まりの生じやすい長さ部分の内ケーブルを示し、図３（ｂ）は（ａ）図の一点鎖線で囲まれた空気溜まりの生じやすい長さ部分の内ケーブルの部分試験体の拡大詳細説明図を示している。
本例においては、（ｂ）図に示すごとく、施工現場と同じ３次元構造（立体的構造）の空気溜まりの生じやすい長さ部分について、部分試験体を製作・配置し、グラウト注入パイプ６からケーブル２の透明シース３内へグラウト（Ｇ）を各種条件で注入し、目視にて空気溜まりの発生状況を確認しながら、グラウトの再注入パイプ７からグラウトを各種条件で再注入し、またグラウト・空気の排出パイプ８ａ、８ｂから空気又は／及びグラウトの一部排出を開閉弁７ｖ、８ａｖ、８ｂｖを各種タイミングで開閉する等、各種条件で行う。なお、図中８ｃ、９は端部の排気パイプである。
それらの結果を記録し、それらから最適条件を選出し、現場の内ケーブルへのグラウチングに適用するのである。
本例は、現場と同じ規模の大きな試験場所が用意できない場合に、空気溜まりの発生しやすい所要部分だけの試験体を組立て試験を行うものであり、低いコストと小スペースで試験及び現場への良好な適用が可能となる。
【００１５】
なお、試験用の３次元配置構造物における全長もしくはそのうちの空気溜まりの生じやすい長さ部分のケーブル２として、曲がり部付近や高位置部付近のみに透明なシースを配設し、その他の部分は現場で用いる黒色ポリエチレン等で構成してもよい。
【００１６】
また、試験用の３次元配置構造物で注入されるグラウト材料は、現場施工に用いられるものと同じものがよく、また、クロム酸化物、鉄酸化物、銅酸化物、マンガン酸化物等の無機質着色料、あるいは有機着色料を少量添加混合して着色グラウト材として注入することもできる。着色されたグラウト材を使用することにより、透明なシース内の充填状況がより明確に把握できる。その際、着色度合いは余り濃くなく、空気溜まりの確認が容易な着色度に調整することが望ましい。
【００１７】
また、透明なシースの材質としては、ポリエチレン樹脂、塩化ビニル樹脂、ポリプロピレン樹脂、ポリカーボネイト樹脂、及びテフロン樹脂などが挙げられ、特にポリエチレン系のアイオノマ樹脂を主体とするもので、アイオノマ樹脂が、α−オレフィンとα，β−不飽和カルボン酸との共重合体のカルボキシ基が金属イオンで中和された樹脂であるものが好ましい。
また、アイオノマ樹脂がα−オレフィンとα，β−不飽和カルボン酸との二元共重合体で、α，β−不飽和カルボン酸を５〜２０重量％の割合で含み、金属イオンによる中和度が酸基の１０〜９０モル％の共重合体であるものも好ましい。
そして、透明のシースは、上記材質から選択されるいずれか１種あるいは２種以上を複合させたもので形成され、シースの形状は実際現場で使用されるシースと同一に形成されることが望ましい。
【００１８】
なお、本発明においていう「透明なシース」の「透明」とは、例えばシースの外側から該シースの内側に充填されるグラウト材の充填状況を目視できることを意味するものであってよく、こうした機能を果たすものであればいかなる性状を有するものであってもよい。該透明とは、例えば透光性であることを意味してよく、その際の光とは、可視光を意味してよい。該「シース」は、中空の、代表的には筒状の部材であり、その中空部にＰＣ鋼材を通すことの出来るものを指し、該中空部を貫通しているＰＣ鋼材を鞘のように覆う機能を果たしている。
【００１９】
【発明の効果】従来方法では、影響因子を様々に考慮し、最善を尽くしたとしても、現場での実施においてはコンクリート内部に内ケーブルが配設されてシースが隠れているので、シース内に空気溜まりが残存せずグラウトが十分に充填されているか否かが確認ができなかったので、グラウトが完全に充填された内ケーブルが完成されたのか又はグラウトの充填が不十分でケーブルの腐食や断線の危険を有する内ケーブルが提供されたのかが解らず、不安と危険が存在した。
しかし、本発明によれば、施工現場外で内ケーブルの全長もしくはそのうちの空気溜まりの生じやすい長さ部分について透明なシースを用いて先行試験用ケーブルを設置してグラウト注入試験を行うことにより、充填中の状況のみならず、充填完了からグラウト硬化後の充填状況が施工前に確認でき、最適条件を選定できるので、その後の現場施工時においてシース内に空気溜まりが生成するような失敗は生じなく、優れたポストテンション方式ＰＣ構造物を提供することができる。
【図面の簡単な説明】
【図１】グラウト注入試験装置の概略図、
【図２】先行試験用ケーブルへのグラウト注入説明図、
【図３】グラウト注入試験の他の実施例の説明図、
【図４】グラウト注入説明図、
【図５】内ケーブルへのグラウト注入時における空気溜まり生成説明図、
【符号の説明】
１：ケーブルへのグラウト注入試験装置、
２：ケーブル、２’：内ケーブル、
３：透明シース、３’：シース、
４：端部固定具（定着部）、
５：支保工材（足場組み立て用のパイプ材）、
６：グラウト注入パイプ、
７：グラウト再注入パイプ、
７ｖ：グラウト再注入パイプの開閉弁、
８（８ａ、８ｂ、８ｃ）：排出パイプ（排気パイプ）、
８ａｖ、８ｂｖ：排気パイプの開閉弁、
９：排気パイプ
Ｇ：グラウト、
Ｖ：空気溜まり、
【図１】
2004211528.tif 000003
【図２】
2004211528.tif 000004
【図３】
2004211528.tif 000005
【図４】
2004211528.tif 000006
【図５】
2004211528.tif 000007
【手続補正書】
【提出日】平成15年11月25日(2003.11.25)
【手続補正１】
【補正対象書類名】明細書
【補正対象項目名】全文
【補正方法】変更
【補正の内容】
【特許請求の範囲】
【請求項１】施工現場におけるポストテンション方式ＰＣ構造物の内ケーブルへのグラウト注入に先立って、施工現場外で組み立てられた打設コンクリート部を有しない他は、施工現場と同じ３次元配置構造のシースを有する内ケーブルの曲がり部付近又は高位置部付近のみに、あるいは曲がり部付近及び高位置部付近のみに透明なシースを配設し、同内ケーブルに、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
【請求項２】施工現場におけるポストテンション方式ＰＣ構造物の内ケーブルへのグラウト注入に先立って、施工現場外で組み立てられた打設コンクリート部を有しない他は、施工現場と同じ３次元配置構造のシースを有する内ケーブルの空気溜まりの生じやすい長さ部分からなるケーブルの部分試験体を作製し、かつ同内ケーブルの曲がり部付近又は高位置部付近のみに、あるいは曲がり部付近及び高位置部付近のみに透明なシースを配設し、同ケーブルの部分試験体にグラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
【請求項３】シースを有する内ケーブルの３次元配置を支保工材を用いて行うことを特徴とする請求項１又は２に記載のポストテンション方式ＰＣ構造物の内ケーブルへのグラウト注入工法。
【請求項４】施工現場外でのグラウト注入試験において、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、同パイプの取付本数及び口径の選定を、曲がり部付近又は高位置部付近のみに、あるいは曲がり部付近及び高位置部付近のみに配設された透明なシースを介して目視で確実・容易になし得るようにするものであることを特徴とする請求項１〜３のいずれか１項に記載のポストテンション方式ＰＣ構造物の内ケーブルへのグラウト注入工法。
【請求項５】グラウトの注入試験の試験条件が、（１）グラウトの成分配合組成、グラウトの水セメント比等のグラウトの組成、（２）グラウトの粘性・温度特性・ブリージング特性等のグラウトの物性、（３）グラウトの注入圧、グラウトの注入速度、グラウトの注入量等のグラウトの注入操作手段、（４）シース内の空気溜まりの生成箇所への注入パイプによるグラウトの再注入の圧力、速度、注入量、グラウトの再注入パイプの取付位置・本数・管内径等のグラウトの再注入操作手段、（５）グラウトの排出パイプ・空気の排気パイプの取付位置・本数・管内径等のグラウトの排出・空気排気操作手段、及び（６）グラウト注入に先立ってシース内部にあらかじめ水を注入してグラウトが注入されると共に水をシースから排出させて、グラウトと水とのより小さな比重差を利用してシース内のグラウトの流れをより一様なものにする工程又はコンクリート及びシース内部の温度が高い場合それを下げる工程の施工手順工程、の（１）〜（６）から選択される１又は２以上であることを特徴とする請求項１〜４のいずれか１項に記載のポストテンション方式ＰＣ構造物の内ケーブルへのグラウト注入工法。
【請求項６】透明シースが、ポリエチレン樹脂製のものであることを特徴とする請求項１〜５のいずれか１項に記載のポストテンション方式ＰＣ構造物の内ケーブルへのグラウト注入工法。
【請求項７】透明シースが、アイオノマ樹脂製のものであることを特徴とする請求項１〜５のいずれか１項に記載のポストテンション方式ＰＣ構造物の内ケーブルへのグラウト注入工法。
【発明の詳細な説明】
【０００１】
【発明の属する技術分野】本発明は、ポストテンション方式ＰＣ構造物の内ケーブルへのグラウト注入工法に関し、特に内ケーブル内に空気溜まりが残存せず、完全にグラウトが充填された内ケーブルを確実・容易に提供できるグラウト注入工法に関する。
【０００２】
【従来の技術及び発明が解決しようとする課題】近年、橋梁、高架橋等のＰＣ構造物において、その内ケーブル内へのグラウト充填不良に起因する緊張材の腐食・破断事故が散見されるようになった。
【０００３】
内ケーブルは全体がコンクリート内部に埋め込まれているため、シース内のグラウト充填（注入）状況や、グラウト注入作業後のケーブルの状況を点検及び確認することは困難であった。
現状では、Ｘ線検査・超音波検査・衝撃反射波検査等の非破壊検査方法によりグラウト充填状況の確認作業が行われているが、完全に内部の状況を把握することは困難である。
【０００４】
そこで、流動性が良好でブリージングの少ないグラウト材料が開発されたが、実際のグラウト注入作業時においては、グラウト材料はシース内へポンプ圧送されるので、グラウト材料を調製する際の材料混練時とポンプ圧送中に空気が巻き込まれ、その空気が内ケーブルの曲がり部の高所付近又は内ケーブルの端部付近のシース内に空気溜まり（空隙部）となって形成される問題があった。
シース内壁とＰＣ鋼材の間に注入・充填されるグラウト材料は、セメントと水と混和剤の混合物からなり、流動性がよく材料分離が無いという性質のものが求められるが、シース内において、セメントと水は比重の差により硬化するまでの間にセメント分が下側に沈降分離して、上側に水分が残り（ブリージング水）、その水が蒸発して空隙部（空気溜まり）が形成されて残ることがある。この空隙部に長年月の間に外部水が侵入するとＰＣ鋼材を腐食させ、その結果ＰＣ鋼材が断線する危険が生じる。
また、ケーブル材にＰＣ鋼より線を用いる例がほとんどであるため、同より線を構成する複数の素線間にふるい作用や毛細管作用が生じて、水とセメントの分離作用を引き起こすことがある。
【０００５】
図４の内ケーブルへのグラウト注入説明図及び図５の内ケーブルへのグラウト注入時における空気溜まり生成説明図に示すごとく、シース３’内において、グラウト材料Ｇが下から上へ流入進行する箇所における場合（Ａ）には、空隙（空気溜まり）Ｖが生じることはないが、特にケーブルが曲げ下がってグラウト材料Ｇが上から下へ降りて流下進行する箇所における場合（Ｂ）には、シース３’の内径上側に空隙Ｖを残してグラウト材料Ｇは管内下側を先流れして行き（図５（イ））、ケーブルが曲げ下がった所で管径の全面にグラウトが充填して（図５（ロ））から、今度は曲げ上がり方向へ逆に上っていく（図５（ハ））。
先流れ中の空隙Ｖは、グラウト材料Ｇが逆行する間、通常曲げ上がり頂上付近手前に設けた排出パイプ８ａ、８ｂ（図４）から空気が排出されて次第に小さくなる。この空気溜まりＶは排出パイプ８ａ、８ｂの取付位置、数、内径とそのパイプ高さ等に影響されて、消失するか残留するかが決まる。
【０００６】
【課題を解決するための手段】本発明は、ポストテンション方式ＰＣ構造物の内ケーブルへのグラウト注入工法において、シース内に空気溜まりが残存することなくグラウトが完全に充填された内ケーブルを提供する工法であり、下記のグラウト注入工法である。
（１）施工現場におけるポストテンション方式ＰＣ構造物の内ケーブルへのグラウト注入に先立って、施工現場外で組み立てられた打設コンクリート部を有しない他は、施工現場と同じ（ほぼ同じと見なされる場合もふくまれる）３次元配置構造（すなわち立体的配置構造）のシースを有する内ケーブルの曲がり部付近又は高位置部付近のみに、あるいは曲がり部付近及び高位置部付近のみに透明なシースを配設し、同内ケーブルに、グラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件を現場に適用して施工することを特徴とするポストテンション方式ＰＣ構造物の内ケーブルへのグラウト注入工法。
（２）施工現場におけるポストテンション方式ＰＣ構造物の内ケーブルへのグラウト注入に先立って、施工現場外で組み立てられた打設コンクリート部を有しない他は、施工現場と同じ（ほぼ同じと見なされる場合もふくまれる）３次元配置構造（すなわち立体的配置構造）のシースを有する内ケーブルの空気溜まりの生じやすい長さ部分からなるケーブルの部分試験体を作製し、かつ同内ケーブルの曲がり部付近又は高位置部付近のみに、あるいは曲がり部付近及び高位置部付近のみに透明なシースを配設し、同ケーブルの部分試験体にグラウトを注入して試験を行い、かつ前記試験を複数の試験条件で実施し、前記透明なシースを介して目視によって得られたグラウト注入試験結果から最良のグラウト注入条件を選出し、その選出された最良のグラウト注入条件の全部又は主要な一部を現場に適用して施工することを特徴とするポストテンション方式ＰＣ構造物の内ケーブルへのグラウト注入工法。
（３）シースを有する内ケーブルの３次元配置（すなわち立体的配置）を支保工材を用いて行うことを特徴とする前項（１）又は（２）に記載のポストテンション方式ＰＣ構造物の内ケーブルへのグラウト注入工法。
【０００７】
（４）施工現場外でのグラウト注入試験において、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、取付本数及び口径の選定を、曲がり部付近又は高位置部付近のみに、あるいは曲がり部付近及び高位置部付近のみに配設された透明なシースを介して目視で確実・容易になし得るようにするものであることを特徴とする前項（１）〜（３）のいずれか１項に記載のポストテンション方式ＰＣ構造物の内ケーブルへのグラウト注入工法。
（５）グラウトの注入試験の試験条件が、（１）グラウトの成分配合組成、グラウトの水セメント比等のグラウトの組成、（２）グラウトの粘性・温度特性・ブリージング特性等のグラウトの物性、（３）グラウトの注入圧、グラウトの注入速度、グラウトの注入量等のグラウトの注入操作手段、（４）シース内の空気溜まりの生成箇所への注入パイプによるグラウトの再注入の圧力、速度、注入量、グラウトの再注入パイプの取付位置・本数・管内径等のグラウトの再注入操作手段、（５）グラウトの排出パイプ・空気の排気パイプの取付位置・本数・管内径等のグラウトの排出・空気排気操作手段、及び（６）グラウト注入に先立ってシース内部にあらかじめ水を注入してグラウトが注入されると共に水をシースから排出させて、グラウトと水とのより小さな比重差を利用してシース内のグラウトの流れをより一様なものにする工程又はコンクリート及びシース内部の温度が高い場合それを下げる工程の施工手順工程、の（１）〜（６）から選択されることを特徴とする前項（１）〜（４）のいずれか１項に記載のポストテンション方式ＰＣ構造物の内ケーブルへのグラウト注入工法。
（６）透明シースが、ポリエチレン樹脂製のものであることを特徴とする前項（１）〜（５）のいずれか１項に記載のポストテンション方式ＰＣ構造物の内ケーブルへのグラウト注入工法。
（７）透明シースが、アイオノマ樹脂製のものであることを特徴とする前項（１）〜（５）のいずれか１項に記載のポストテンション方式ＰＣ構造物の内ケーブルへのグラウト注入工法。
【０００８】
【発明の実施の形態】次に本発明の実施の形態を図面に基づいて説明する。
本発明においては、まず施工現場におけるポストテンション方式ＰＣ構造物の内ケーブルへのグラウト注入に先立って、施工現場近くの場所又は工場等施工現場外において、図１に示すごとく先行試験用ケーブルへのグラウト注入試験装置１を支保工材（足場組み立て用のパイプ材）５で施工現場と同じ（ほぼ同じと見なされる場合も含まれる）３次元配置（すなわち立体的配置）で、かつ曲がり部付近又は高位置部付近のみに、あるいは曲がり部付近及び高位置部付近のみに外部から内部のグラウト充填状況が視認できる透明なシースを有する内ケーブル２を組み立てる。
該試験装置１は現場での打設コンクリート部を有しない他は、施工現場と同じ３次元配置構造で、その全長にわたって配置した曲がり部付近又は高位置部付近のみに、あるいは曲がり部付近及び高位置部付近のみに透明なシースを配設した内ケーブル２のシース３内に、グラウト（Ｇ）をグラウト注入パイプ６から注入して試験を行うものである。
そして該試験は複数の試験条件で実施し、その際透明なシースを介して内部のグラウト（Ｇ）の注入状況を目視によって観察し、記録する。
【０００９】
図２の先行試験用ケーブルへのグラウト注入説明図に示すグラウト注入試験において、ケーブル２内にグラウトＧを注入した際に、高位置に空気溜まりＶが生成している状態を示しており、その付近にグラウトの再注入パイプ７及び排出パイプ（排気パイプ）８ａ、８ｂが立設され、また左端の定着部にはグラウトの注入パイプ６と排気パイプ９が付設され、他方の右端の定着部には排出パイプ８ｃが付設されている。なお、前記各パイプの上部には、開閉弁７ｖ、８ａｖ、８ｂｖが取り付けられている。
そこで、まず注入パイプ６から、グラウトＧを圧送ポンプ（図示せず）を用いて、例えば特定圧力と吐出速度と吐出時間で曲がり部付近又は高位置部付近のみに、あるいは曲がり部付近及び高位置部付近のみに透明なシースを配設した内ケーブル２のシース３中に注入し、空気溜まりＶが排出パイプ８ａ、８ｃから全部排出されて残存しなくなる圧力、吐出速度、吐出時間の各数値を記録する。
また、グラウトＧの種類、温度等を変えて複数の注入試験を行い、最適なグラウトの選定、最適な温度等を記録する。
そこで得られたグラウト注入試験結果から最良のグラウト注入条件を選出し、その選出された最良のグラウト注入条件の全部又は主要な一部を現場に適用して、実際のグラウト注入施工を行うのである。
【００１０】
一般に、内ケーブルへのグラウト注入時における空気溜まりＶの生成要因としては、（１）グラウト材料の種類、（２）グラウト充填に使用される機器、（３）ケーブルの形状、（４）注入パイプ、排出パイプの取付箇所と取付本数、及びその開閉のタイミング、（５）グラウトの再注入の有無、（６）定着具の形状と注入パイプ及び排出パイプの取付箇所、（７）施工現場の温度条件、（８）グラウト注入に先立つシース内への水注入を行うか否かなどが挙げられる。
例えば、（１）グラウト材料の種類における空気溜まりの詳細な生成要因は、グラウト材料の流動性、粘性、材料不分離性によるものであり、またグラウト材料の水セメント比や、セメントの粒度、混和剤の性質、また気温や構成材料の温度から定まるグラウトの練り上がり温度などによって影響を受ける。
次に、（２）グラウト充填に使用される機器（図示せず）による空気溜まりが生成することもありその要因としては、ミキサーの羽構造や回転数、ポンプの圧送圧力や吐出量などによって影響を受ける。
また、（３）ケーブル２の形状における空気溜まりの生成要因としては、シースの管径、内径、長さ、及びシース外周面の凹凸やケーブル全長間での３次元的曲がり形状などにより影響を受ける。
【００１１】
そして、（４）グラウトの注入パイプ、排出パイプの取付箇所と取付本数としては、二次注入するための再注入パイプ７の取付箇所や取付本数、排出パイプの取付箇所と取付本数に影響を受ける他、注入パイプや排出パイプの内径やその長さ（高さ）、グラウト注入時及びグラウト注入完了直後における排出パイプの開閉のタイミングなどに影響を受ける。
また、（５）グラウトの再注入の有無や、（６）定着具の形状と注入パイプ及び排出パイプの取付箇所の関係、（７）施工現場の温度条件、すなわち気温とコンクリート部材温度がグラウトの流動性に大きく影響し、空気溜まりの生成要因となるとされている。
【００１２】
そこで、上記内ケーブル２へのグラウト注入時における空気溜まりＶの生成要因を考慮して、図１に示す支保工材（足場用のパイプ材）５で組み立てられた施工現場と同じ（ほぼ同じと見なされる場合も含まれる）３次元配置（すなわち立体的配置構造）の内ケーブルへのグラウト注入試験装置１を施工現場外で組み立てる。
そのようにして、打設コンクリート部を有しないことと、シースの曲がり部付近又は高位置部付近のみが、あるいは曲がり部付近及び高位置部付近のみが黒色でなく、透明なシースである他は、施工現場と同じ３次元配置の全長又はその一部若しくはそのうちの空気溜まりの生じやすい長さ部分のケーブル２を組み立てる。次いで、シース３内にグラウトＧの注入試験を行う。
そして、前記各グラウト注入時における空気溜まりの生成要因を考慮し、複数の試験条件を実施し、その際ケーブルの曲がり部付近又は高位置部付近のみに、あるいは曲がり部付近及び高位置部付近のみに配設された透明なシースを介して内部のグラウトの注入状況を目視によって観察し、データを記録する。
こうした施工現場外でのグラウト注入試験においてシースの曲がり部付近又は高位置部付近のみを、あるいは曲がり部付近及び高位置部付近のみを透明材で構成することにより、グラウト注入中の状況の点検、シース内の空気溜まりの生成箇所の発見等の試験及び同箇所へのグラウトの再注入の最適条件の選定、グラウトの排出パイプ・空気の排気パイプの取り付け箇所、取付本数及び口径の選定を、目視で確実・容易になし得ることにより、最良のグラウト注入条件を選出することができる。
なお、内ケーブルの曲がり部付近又は高位置部付近のみに、あるいは曲がり部付近及び高位置部付近のみに透明なシースが配設されたシース３内に空気溜まりＶが生成されたのが目視された場合には、前記空気溜まりの生成要因に基づいて分析・改善をする。そして、再度試験を行いデータを記録する。
そして、前記試験で得られたデータ結果から最良のグラウト注入条件を選出し、その選出された最良のグラウト注入条件を現場施工時に適用して、実際のグラウト注入施工を行う。
【００１３】
グラウトの注入試験の試験項目（条件）としては、ａ．グラウトの成分配合組成、グラウトの水セメント比等のグラウトの組成、ｂ．グラウトの粘性・温度特性・ブリージング特性等のグラウトの物性、ｃ．グラウトの注入圧、グラウトの注入速度、グラウトの注入量等のグラウトの注入操作手段、ｄ．シース内の空気溜まりの生成箇所への注入パイプによるグラウトの再注入の圧力、速度、注入量、グラウトの再注入パイプの取付位置・本数・管内径等のグラウト再注入操作手段、ｅ．グラウトの排出パイプ・空気の排気パイプの取付位置・本数・管内径等のグラウトの排出・空気排気操作手段、及びｆ．グラウト注入に先立ってシース内部にあらかじめ水を注入してグラウトが注入されると共に水をシースから排出させて、グラウトと水とのより小さな比重差を利用してシース内のグラウトの流れをより一様なものにする又はコンクリート及びシース内部の温度が高い場合それを下げる施工手順、が挙げられ、上記ａ〜ｆから選択される１又は２以上、好ましくはａ〜ｆまでのすべてを試験項目とする。
【００１４】
図３はグラウト注入試験の他の実施例、すなわち内ケーブルの部分試験体を用いる例の説明図を示し、図３（ａ）は施工現場と同じ（ほぼ同じと見なされる場合も含まれる）３次元配置構造（すなわち立体的配置構造）の先行試験用ケーブルの全長模式図と、一点鎖線で囲まれた空気溜まりの生じやすい長さ部分の内ケーブルを示し、図３（ｂ）は（ａ）図の一点鎖線で囲まれた空気溜まりの生じやすい長さ部分の内ケーブルの部分試験体の拡大詳細説明図を示している。
本例においては、（ｂ）図に示すごとく、施工現場と同じ３次元構造（立体的構造）の空気溜まりの生じやすい長さ部分について、部分試験体を製作・配置し、グラウト注入パイプ６からケーブル２のシース３内へグラウト（Ｇ）を各種条件で注入し、同ケーブル２の曲がり部付近又は高位置部付近のみに、あるいは曲がり部付近及び高位置部付近のみに配設された透明なシースを介し、目視にて空気溜まりの発生状況を確認しながら、グラウトの再注入パイプ７からグラウトを各種条件で再注入し、またグラウト・空気の排出パイプ８ａ、８ｂから空気又はグラウトの一部の、あるいは空気及びグラウトの一部の排出を開閉弁７ｖ、８ａｖ、８ｂｖを各種タイミングで開閉する等、各種条件で行う。なお、図中８ｃ、９は端部の排気パイプである。
それらの結果を記録し、それらから最適条件を選出し、現場の内ケーブルへのグラウチングに適用するものである。
本例は、現場と同じ規模の大きな試験場所が用意できない場合に、空気溜まりの発生しやすい所要部分だけの試験体を組立て試験を行うものであり、低いコストと小スペースで試験及び現場への良好な適用が可能となる。
【００１５】
また、試験用の３次元配置構造物で注入されるグラウト材料は、現場施工に用いられるものと同じものがよく、また、クロム酸化物、鉄酸化物、銅酸化物、マンガン酸化物等の無機質着色料、あるいは有機着色料を少量添加混合して着色グラウト材として注入することもできる。着色されたグラウト材を使用することにより、シース内の充填状況がケーブル２の曲がり部付近又は高位置部付近のみに、あるいは曲がり部付近及び高位置部付近のみに配設された透明なシースを介してより明確に把握できる。その際、着色度合いはあまり濃くなく、空気溜まりの確認が容易な着色度に調整することが望ましい。
【００１６】
また、透明なシースの材質としては、ポリエチレン樹脂、塩化ビニル樹脂、ポリプロピレン樹脂、ポリカーボネイト樹脂、及びテフロン（登録商標）樹脂などが挙げられ、特にポリエチレン系のアイオノマ樹脂を主体とするもので、アイオノマ樹脂が、α−オレフィンとα、β−不飽和カルボン酸との共重合体のカルボキシ基が金属イオンで中和された樹脂であるものが好ましい。
また、アイオノマ樹脂がα−オレフィンとα、β−不飽和カルボン酸との二元共重合体で、α、β−不飽和カルボン酸を５〜２０重量％の割合で含み、金属イオンによる中和度が酸基の１０〜９０モル％の共重合体であるものも好ましい。
そして、透明のシースは、上記材質から選択されるいずれか１種あるいは２種以上を複合させたもので形成され、シースの形状は実際現場で使用されるシースと同一に形成されることが望ましい。
【００１７】
なお、本発明においていう「透明なシース」の「透明」とは、例えばシースの外側から該シースの内側に充填されるグラウト材の充填状況を目視できることを意味するものであってよく、こうした機能を果たすものであればいかなる性状を有するものであってもよい。該透明とは、例えば透光性であることを意味してよく、その際の光とは、可視光を意味してよい。該「シース」は、中空の、代表的には筒状の部材であり、その中空部にＰＣ鋼材を通すことのできるものを指し、該中空部を貫通しているＰＣ鋼材を鞘のように覆う機能を果たしている。
【００１８】
【発明の効果】従来方法では、影響因子を様々に考慮し、最善を尽くしたとしても、現場での実施においてはコンクリート内部に内ケーブルが配設されてシースが隠れているので、シース内に空気溜まりが残存せずグラウトが十分に充填されているか否かが確認ができなかったので、グラウトが完全に充填された内ケーブルが完成されたのか又はグラウトの充填が不十分でケーブルの腐食や断線の危険を有する内ケーブルが提供されたのかが解らず、不安と危険が存在した。
しかし、本発明によれば、施工現場外で内ケーブルの全長もしくはそのうちの空気溜まりの生じやすい長さ部分について同内ケーブルの曲がり部付近又は高位置部付近のみに、あるいは曲がり部付近及び高位置部付近のみに透明なシースを用いた先行試験用ケーブルを設置してグラウト注入試験を行うことにより、充填中の状況のみならず、充填完了からグラウト硬化後の充填状況が施工前に確認でき、最適条件を選定できるので、その後の現場施工時においてシース内に空気溜まりが生成するような失敗は生じなく、優れたポストテンション方式ＰＣ構造物を提供することができる。
【図面の簡単な説明】
【図１】グラウト注入試験装置の概略図、
【図２】先行試験用ケーブルへのグラウト注入説明図、
【図３】グラウト注入試験の他の実施例の説明図、
【図４】グラウト注入説明図、
【図５】内ケーブルへのグラウト注入時における空気溜まり生成説明図、
【符号の説明】
１：ケーブルへのグラウト注入試験装置、
２：ケーブル、２’：内ケーブル、
３、３’：シース
４：端部固定具（定着部）、
５：支保工材（足場組み立て用のパイプ材）、
６：グラウト注入パイプ、
７：グラウト再注入パイプ、
７ｖ：グラウト再注入パイプの開閉弁、
８（８ａ、８ｂ、８ｃ）：排出パイプ（排気パイプ）、
８ａｖ、８ｂｖ、：排気パイプの開閉弁、
９：排気パイプ、
Ｇ：グラウト、
Ｖ：空気溜まり、